(57)【要約】【課題】本発明は、結像効果に優れたマルチレンズ撮影装置を提供することを目的とする。【解決手段】本発明に係るマルチレンズ撮影装置は、台座と、フォーカスモジュールと、広角モジュールと、測距モジュールと、を備え、フォーカスモジュールは、台座上に回転可能に設けられ、広角モジュール及び測距モジュールは、フォーカスモジュールに回転可能に設けられている。【選択図】図２
2016054470.tif 000002
【特許請求の範囲】
【請求項１】
台座と、フォーカスモジュールと、広角モジュールと、測距モジュールと、を備えるマルチレンズ撮影装置であって、
前記フォーカスモジュールは、前記台座上に回転可能に設けられ、前記広角モジュール及び前記測距モジュールは、前記フォーカスモジュール上に回転可能に設けられていることを特徴とするマルチレンズ撮影装置。
【請求項２】
前記フォーカスモジュールは、回転座及び複数のオートフォーカスレンズを含み、前記回転座は、前記台座の上面に回転可能に設けられ、前記複数のオートフォーカスレンズは、前記回転座の側壁に等間隔に設けられ、且つ前記回転座に伴って前記台座に対して回転することを特徴とする請求項１に記載のマルチレンズ撮影装置。
【請求項３】
前記広角モジュールは、広角レンズ及び回転体を含み、前記回転体は、前記回転座の頂部に回転可能に設けられ、前記広角レンズは、前記回転体の側面に設けられ且つ前記回転体と共に前記回転座及び前記台座に対して回転することを特徴とする請求項２に記載のマルチレンズ撮影装置。
【請求項４】
前記測距モジュールは、測距レンズを含み、前記測距レンズは、前記広角レンズと隣り合うように前記回転体の側面に設けられていることを特徴とする請求項３に記載のマルチレンズ撮影装置。
【請求項５】
前記測距モジュールは、レーザー発射器及び回転部品を含み、前記回転部品は、前記回転体の頂部に回転可能に設けられ、前記レーザー発射器は、前記回転部品の側面に設けられ且つ前記回転部品と共に前記回転体、前記回転座及び前記台座に対して回転することを特徴とする請求項３に記載のマルチレンズ撮影装置。
【請求項６】
前記回転部品の回転速度は、前記回転座の回転速度の少なくとも２倍であることを特徴とする請求項５に記載のマルチレンズ撮影装置。
【請求項７】
台座と、フォーカスモジュールと、広角モジュールと、測距モジュールと、を備えるマルチレンズ撮影装置であって、
前記フォーカスモジュール、前記広角モジュール及び前記測距モジュールは、何れも前記台座に対して回転可能であり、前記フォーカスモジュールは、目標画像又は映像を撮影し、前記広角モジュールは、背景画像又は映像を撮影し、前記測距モジュールは、前記目標からマルチレンズ撮影装置までの撮影距離を測定し、前記フォーカスモジュールは、前記撮影距離に基づいてフォーカス焦点距離を自動的に調整し、前記マルチレンズ撮影装置は、前記フォーカスモジュールが撮影した前記目標画像又は映像と前記広角モジュールが撮影した前記背景画像又は映像とを合成することによって、必要な画像又は映像を取得することを特徴とするマルチレンズ撮影装置。
【請求項８】
前記フォーカスモジュールは、回転座及び複数のオートフォーカスレンズを含み、前記回転座は、前記台座の上面に回転可能に設けられ、前記複数のオートフォーカスレンズは、前記回転座の側壁に等間隔に設けられ、撮影目標に対して自動的にフォーカスして撮影することを特徴とする請求項７に記載のマルチレンズ撮影装置。
【請求項９】
前記測距モジュールは、測距レンズを含み、前記測距レンズは、オートフォーカスレンズであり、画面中の撮影目標から前記マルチレンズ撮影装置までの距離を測定することを特徴とする請求項７に記載のマルチレンズ撮影装置。
【請求項１０】
前記複数のオートフォーカスレンズは、前記測距レンズが測定した距離に基づいて、各自のフォーカスパラメータを自動的に調整することを特徴とする請求項９に記載のマルチレンズ撮影装置。
【発明の詳細な説明】
【技術分野】
【０００１】
本発明は、撮影装置に関し、特に複数のレンズを備える撮影装置に関するものである。
【背景技術】
【０００２】
光学結像技術の絶えまない発展に伴って、様々な高画素デジタルカメラ及び高画素撮影装置が製造されている。しかし、従来のデジタルカメラ及び撮影装置は、その殆どが１つのレンズしか備えていないので、撮影方向及び角度が単一である。広範囲を撮影したい場合、異なる方向のシーンをそれぞれ撮影した後、撮影した複数のシーンを合成して、必要な画像又は映像を得る。また、単独のレンズは、同じシーンの異なる場所に位置する人物又は物体を結像する時に、被撮影者又は被撮影物体とレンズとの間の距離、被撮影者又は被撮影物体の角度及び環境光線等の条件により影響され易く、光の量が多い又はぼやける場合等がある。
【発明の概要】
【発明が解決しようとする課題】
【０００３】
以上の問題点に鑑みて、本発明は、結像効果に優れたマルチレンズ撮影装置を提供することを目的とする。
【課題を解決するための手段】
【０００４】
上記の課題を解決するために、本発明に係るマルチレンズ撮影装置は、台座と、フォーカスモジュールと、広角モジュールと、測距モジュールと、を備え、フォーカスモジュールは、台座上に回転可能に設けられ、広角モジュール及び測距モジュールは、フォーカスモジュールに回転可能に設けられている。
【０００５】
また、上記の課題を解決するために、本発明に係るマルチレンズ撮影装置は、台座と、フォーカスモジュールと、広角モジュールと、測距モジュールと、を備え、フォーカスモジュール、広角モジュール及び測距モジュールは、何れも台座に対して回転可能であり、フォーカスモジュールは、目標画像又は映像を撮影し、広角モジュールは、背景画像又は映像を撮影し、測距モジュールは、目標からマルチレンズ撮影装置までの撮影距離を測定し、フォーカスモジュールは、撮影距離に基づいてフォーカス焦点距離を自動的に調整し、マルチレンズ撮影装置は、フォーカスモジュールが撮影した目標画像又は映像と広角モジュールが撮影した背景画像又は映像とを合成することによって、必要な画像又は映像を取得することができる。
【発明の効果】
【０００６】
従来の技術と異なり、本発明のマルチレンズ撮影装置は、フォーカスモジュールのオートフォーカス機能と広角モジュールの背景撮影機能とを統合し、且つ測距モジュールを採用して異なる撮影目標からマルチレンズ撮影装置までの撮影距離を測定する。これにより、フォーカスモジュールのフォーカス速度及びフォーカス精確度は高められる。これと同時に、本発明は、マルチレンズ撮影装置に内蔵されているプログラムを介して、複数のオートフォーカスレンズ及び広角レンズにより撮影された画像又は映像を合成して、鮮明で、且つ互いに一致している画像又は映像出力効果を得る。従って、本発明のマルチレンズ撮影装置は、撮影距離及び背景光線等の撮影条件が異なることに起因する撮影効果の不一致を防止することができる。
【図面の簡単な説明】
【０００７】
【図１】本発明の第一実施形態に係るマルチレンズ撮影装置の斜視図である。
【図２】本発明の第二実施形態に係るマルチレンズ撮影装置の斜視図である。
【図３】本発明の第一実施形態又は第二実施形態に係るマルチレンズ撮影装置の使用状態を示す図である。
【発明を実施するための形態】
【０００８】
図１に示すように、本発明の第一実施形態に係るマルチレンズ撮影装置１００は、台座１０と、フォーカスモジュール３０と、広角モジュール５０と、測距モジュール７０と、を備える。フォーカスモジュール３０は、台座１０上に回転可能に設けられており、広角モジュール５０及び測距モジュール７０は、フォーカスモジュール３０上に回転可能に設けられている。フォーカスモジュール３０は、目標画像又は映像を撮影するために用いられる。広角モジュール５０は、背景画像又は映像を撮影するために用いられる。測距モジュール７０は、目標からマルチレンズ撮影装置１００までの撮影距離を測定するために用いられる。フォーカスモジュール３０は、測距モジュール７０が測定した距離に基づいて、フォーカス焦点距離を自動的に調整する。マルチレンズ撮影装置１００は、フォーカスモジュール３０が撮影した目標画像又は映像と広角モジュール５０が撮影した背景画像又は映像とを合成して、必要な画像又は映像を得る。
【０００９】
フォーカスモジュール３０は、回転座３３及び該回転座３３の外面に設けられている複数のオートフォーカスレンズ３１を含む。回転座３３は、ほぼ円柱状の構造であり、台座１０の上面に回転可能に設けられている。複数のオートフォーカスレンズ３１は、回転座３３の側壁に等間隔に設けられ、撮影画面の中の撮影目標に対して自動的にフォーカスして撮影する。撮影する場合、複数のオートフォーカスレンズ３１は、回転座３３に伴って台座１０に対して所定の速度で回転する。マルチレンズ撮影装置１００は、自身に内蔵されているプログラムを利用して、複数のオートフォーカスレンズ３１により撮影された画像又は映像をデジタル合成して、鮮明で完全な画像又は映像を出力する。
【００１０】
広角モジュール５０は、広角レンズ５１及び回転体５３を含む。回転体５３は、回転座３３の頂部に設けられ、且つ回転座３３及び台座１０に対して回転可能である。広角レンズ５１及び測距モジュール７０は、回転体５３の一方の側面に隣り合って設けられている。本実施形態において、測距モジュール７０は、オートフォーカス機能を有する測距レンズ７１を含む。回転体５３は、広角レンズ５１及び測距レンズ７１を台座１０及び回転座３３に対して回転させる。広角レンズ５１は、撮影画面の中の背景画像又は映像を撮影するために用いられる。測距レンズ７１は、撮影画面の中の撮影目標からマルチレンズ撮影装置１００までの距離を測定する。これにより、複数のオートフォーカスレンズ３１は、測距レンズ７１が測定した距離に基づいて、各自のフォーカスパラメータを自動的に調整して、さらに素早く且つ精確にフォーカスすることができる。
【００１１】
図２に示すように、本発明の第二実施形態に係るマルチレンズ撮影装置２００は、台座２０と、フォーカスモジュール４０と、広角モジュール６０と、測距モジュール８０と、を備える。フォーカスモジュール４０は、複数のオートフォーカスレンズ４１及び１つの回転座４３を含む。回転座４３は、台座２０の上面に回転可能に設けられている。複数のオートフォーカスレンズ４１は、回転座４３の外面に均一に設けられ、且つ回転座４３に伴って台座２０に対して回転する。広角モジュール６０は、広角レンズ６１及び回転体６３を含む。回転体６３は、回転座４３の頂部に回転可能に設けられている。広角レンズ６１は、回転体６３の一方の側面に設けられて、回転体６３に伴って回転座４３及び台座２０に対して回転する。測距モジュール８０は、レーザー発射器８３及び回転部品８５を含む。回転部品８５は、回転体６３の頂部に回転可能に設けられている。レーザー発射器８３は、回転部品８５の側面に設けられ、且つ回転部品８５と共に、回転体６３、回転座４３及び台座２０に対して回転する。
【００１２】
第二実施形態において、レーザー発射器８３は、レーザーを発射することによって、撮影画面の中の撮影目標からマルチレンズ撮影装置２００までの距離を測定する。複数のオートフォーカスレンズ４１は、レーザー発射器８３により測定された距離に基づいて、素早く且つ精確にフォーカスする。回転部品８５は、回転座４３の少なくとも２倍又は数倍の回転速度で回転して、迅速に距離を測定する。測距速度の加速によって、マルチレンズ撮影装置２００は、撮影画面の中の撮影目標の位置及び距離を予め知ることができる。これにより、オートフォーカスレンズ４１の数量を適当な数量に減らすことができるため、マルチレンズ撮影装置２００の製造コストも低減することができる。
【００１３】
図３に示すように、本発明のマルチレンズ撮影装置１００、２００が動作する場合、撮影画面の中の撮影目標９０、９１と、マルチレンズ撮影装置１００、２００との間には、それぞれ異なる撮影距離Ｌ１、Ｌ２が存在する。撮影距離Ｌ１は、撮影距離Ｌ２より長い。この時、撮影目標９０の背景光源９２は、撮影目標９１の背景光源９３より弱い。異なる撮影距離Ｌ１、Ｌ２及び異なる背景光源９２、９３の条件下で、マルチレンズ撮影装置１００、２００は、測距レンズ７１又はレーザー発射器８３が測定した撮影距離に基づいて、複数のオートフォーカスレンズ３１、４１の焦点距離を調整し、且つ内蔵処理プログラムを利用して、複数のオートフォーカスレンズ３１、４１及び広角レンズ５１、６１が撮影した画像又は映像画面を合成して、ほぼ近似した画像又は映像９４、９５を出力する。従って、本発明のマルチレンズ撮影装置１００、２００は、撮影距離及び背景光線等の撮影条件が異なることに起因する撮影効果の不一致を防止することができる。
【００１４】
上記の記載から分かるように、本発明のマルチレンズ撮影装置１００、２００は、フォーカスモジュール３０、４０のオートフォーカス機能と、広角モジュール５０、６０の背景撮影機能とを統合し、且つ測距モジュール７０、８０を採用して異なる撮影目標からマルチレンズ撮影装置１００、２００までの撮影距離を測定することによって、フォーカスモジュール３０、４０のフォーカス速度及びフォーカス精確度を高める。これと同時に、本発明は、マルチレンズ撮影装置１００、２００に内蔵されているプログラムを介して、複数のオートフォーカスレンズ３１、４１及び広角レンズ５１、６１により撮影された画像又は映像を合成することで、鮮明で且つ互いに一致している画像又は映像の出力効果を得ることができる。
【符号の説明】
【００１５】
１０、２０  台座
３０、４０  フォーカスモジュール
３１、４１  オートフォーカスレンズ
３３、４３  回転座
５０、６０  広角モジュール
５１、６１  広角レンズ
５３、６３  回転体
７０、８０  測距モジュール
７１  測距レンズ
８３  レーザー発射器
８５  回転部品
９０、９１  撮影目標
９２、９３  背景光源
９４、９５  画像又は映像  
１００、２００  マルチレンズ撮影装置
Ｌ１、Ｌ２  撮影距離
【図１】
2016054470.tif 000003
【図２】
2016054470.tif 000004
【図３】
2016054470.tif 000005